(57)【特許請求の範囲】
【請求項１】
与えられた処理対象の色情報の白色点である第一の白色点の輝度情報と目標とする白色点の輝度情報の比を用いて第二の白色点への補正情報を生成する生成手段と、前記生成手段で生成した前記第二の白色点への補正情報を各色成分に適用する色補正処理を前記処理対象の色情報に対して行う色補正手段を有することを特徴とする色処理装置。
【請求項２】
前記生成手段は、前記第一の白色点の輝度情報から前記目標とする白色点の輝度情報までの間で輝度情報を設定した前記第二の白色点への補正情報を生成することを特徴とする請求項１に記載の色処理装置。
【請求項３】
前記色補正手段は、前記色情報に白色点の情報が存在する場合には、前記第二の白色点を光源の代わりに正規化の分母とする色補正処理を行うことを特徴とする請求項１または請求項２に記載の色処理装置。
【請求項４】
前記生成手段は、前記色情報が出力カラープロファイルの色データである場合に、前記目標とする白色点の輝度情報として用紙の白色点の輝度情報を用いて前記第二の白色点への補正情報を生成することを特徴とする請求項１に記載の色処理装置。
【請求項５】
前記生成手段は、前記色情報が入力カラープロファイルの色データである場合に、前記第一の白色点の輝度情報として出力側の白色点の輝度情報を用いて前記第二の白色点への補正情報を生成し、前記色補正手段は、前記補正情報を利用して生成した前記第二の白色点を光源の代わりに正規化の分母として色補正処理を行うことを特徴とする請求項１に記載の色処理装置。
【請求項６】
コンピュータに、請求項１から請求項５のいずれか１項に記載の色処理装置の機能を実行させるものであることを特徴とする色処理プログラム。
【発明の詳細な説明】
【技術分野】
【０００１】
本発明は、色処理装置及び色処理プログラムに関するものである。
【背景技術】
【０００２】
色処理は異なる入出力装置に依存した色空間の整合をとるために必要とされている。装置依存の色空間は、例えば、印刷や電子写真などの画像形成装置では４色以上の色材を使用することから、これらの色材の色を要素とした色空間が用いられている。また、モニタなどの表示装置や、カメラやスキャナなどの画像読取装置ではＲＧＢ色空間などが利用されている。また、装置依存の色空間の整合をとるために、装置に依存しないＣＩＥＬＡＢなどの知覚均等色空間やＣＩＥＬＣＡＭ０２などの色の見えモデルの特徴を備えた色空間が利用される。さらには三刺激値ＣＩＥＸＹＺやＬＭＳ色空間なども利用される。
【０００３】
白色点の補正は、異なる色空間での色の整合をとる処理の１つである。出力装置による表示や紙媒体による反射画像などでは、白色点（用紙白色点、紙白など、概ね最明度点に相当）が、ある値に決まっておらず、処理系や媒体（用紙など）により異なる場合がある。そのため、与えられた色情報と出力する色情報とのダイナミックレンジを合わせるために白色点の補正が必要である。この場合、与えられた色情報の色空間を共通する色空間に変換して白色点の補正処理を行い、処理後の色情報を出力すべき色空間に変換することにより、白色点の補正処理は共通の色空間で処理すればよい。例えば共通の色空間をＣＩＥＬＡＢとし、白色点の補正処理自体はＣＩＥＬＡＢ色空間の色情報からＣＩＬＥＡＢの色情報への補正処理を行えばよい。
【０００４】
白色点の補正としては、例えばＩＣＣプロファイルの仕様（ＩＳＯ１５０７６−１）で設定されている用紙の白色点の測色値であるＣＩＥＸＹＺによって正規化する方法がある。（相対Ｃｏｌｏｒｉｍｅｔｒｉｃレンダリングインテントの正規化する方法は三刺激値ＣＩＥＸＹＺからＣＩＥＬＡＢへの変換で用いる光源の代わりに用紙の白色点を利用することと等しい。例えば、この処理方法はＣＩＥＬＡＢからＣＩＥＸＹＺへの変換およびＣＩＥＸＹＺからＣＩＥＬＡＢへの変換の途中経過を利用するＣＩＥＬＡＢからＣＩＥＬＡＢへの色変換としても実現されるためＣＩＥＸＹＺの処理なのかＣＩＥＬＡＢの処理なのか説明上曖昧さが残る。しかしながら、原理的にはＣＩＥＸＹＺへの変換を利用して可逆を連結すると計算を省けることと等価であることから、本発明ではＣＩＥＸＹＺからＣＩＥＸＹＺへの変換の処理として表現する。）また、例えば色順応を利用して白色点の補正を行うものとして、特許文献１、特許文献２、特許文献３などに記載されている技術がある。これらは、視覚的には絶対輝度（物体色と表面色）の違い、また相対的には参照する再現色情報が用紙の地色が表示装置の白色かの違いなどはあるが、いずれも色順応モデルを用いた色変換を行っており、組み合わせは色々提案されている。
【０００５】
異なる用紙での白色点の補正を行うものとして、例えば、特許文献４や特許文献５などに記載されている技術がある。さらに、表示装置または投影装置と用紙での白色点を補正するものとして、例えば特許文献６では３刺激値ＸＹＺを用いて、表示装置に表示されている画像を記録材料に形成する際の白色点の補正を行っている。
【先行技術文献】
【特許文献】
【０００６】
【特許文献１】特開２００２−０３３９３６号公報
【特許文献２】特許第３４１２９８５号公報
【特許文献３】特開平１１−１１２８１９号公報
【特許文献４】特開平１０−３４１３４８号公報
【特許文献５】特開平１１−１７７８３４号公報
【特許文献６】特開平０１−２８１５２４号公報
【発明の概要】
【発明が解決しようとする課題】
【０００７】
本発明は、表示されている画像と見た目に近い画像を画像形成媒体上に色再現可能な色情報を得ることができる色処理装置及び色処理プログラムを提供することを目的とするものである。
【課題を解決するための手段】
【０００８】
本願請求項１に記載の発明は、与えられた処理対象の色情報の白色点である第一の白色点の輝度情報と目標とする白色点の輝度情報の比を用いて第二の白色点への補正情報を生成する生成手段と、前記生成手段で生成した前記第二の白色点への補正情報を各色成分に適用する色補正処理を前記処理対象の色情報に対して行う色補正手段を有することを特徴とする色処理装置である。
【０００９】
本願請求項２に記載の発明は、本願請求項１に記載の発明における前記生成手段が、前記第一の白色点の輝度情報から前記目標とする白色点の輝度情報までの間で輝度情報を設定した前記第二の白色点への補正情報を生成することを特徴とする色処理装置である。
【００１０】
本願請求項３に記載の発明は、本願請求項１または請求項２に記載の発明における前記色補正手段が、前記色情報に白色点の情報が存在する場合には、前記第二の白色点を光源の代わりに正規化の分母とする色補正処理を行うことを特徴とする色処理装置である。
【００１１】
本願請求項４に記載の発明は、本願請求項１に記載の発明における前記生成手段が、前記色情報が出力カラープロファイルの色データである場合に、前記目標とする白色点の輝度情報として用紙の白色点の輝度情報を用いて前記第二の白色点への補正情報を生成することを特徴とする色処理装置である。
【００１２】
本願請求項５に記載の発明は、本願請求項１に記載の発明における前記生成手段が、前記色情報が入力カラープロファイルの色データである場合に、前記第一の白色点の輝度情報として出力側の白色点の輝度情報を用いて前記第二の白色点への補正情報を生成し、前記色補正手段は、前記補正情報を利用して生成した前記第二の白色点を光源の代わりに正規化の分母として色補正処理を行うことを特徴とする色処理装置である。
【００１３】
本願請求項６に記載の発明は、コンピュータに、請求項１から請求項５のいずれか１項に記載の色処理装置の機能を実行させるものであることを特徴とする色処理プログラムである。
【発明の効果】
【００１４】
本願請求項１に記載の発明によれば、本構成を有しない場合と比べて、表示されている画像と見た目に近い画像を画像形成媒体上に色再現可能な色情報を得ることができる。
【００１５】
本願請求項２に記載の発明によれば、本構成を有しない場合に比べ、色かぶりや明度方向のかぶりを低減することができる。
【００１６】
本願請求項３に記載の発明によれば、色かぶりの発生を防ぐことができる。
【００１７】
本願請求項４に記載の発明によれば、本構成を有しない場合と比べて、表示されている画像と見た目に近い画像の色情報を得るための出力カラープロファイルを得ることができる。
【００１８】
本願請求項５に記載の発明によれば、本構成を有しない場合と比べて、表示されている画像と見た目に近い画像の色情報を得るための入力カラープロファイルを得る、または入力プロファイルの色情報を変更することができる。
【００１９】
本願請求項６に記載の発明によれば、請求項１から請求項５のいずれか１項に記載の色処理装置の効果を得ることができる。
【図面の簡単な説明】
【００２０】
【図１】本発明の実施の一形態を示す構成図である。
【図２】本発明の実施の一形態における動作の一例を示す流れ図である。
【図３】本発明の実施の一形態で説明した機能をコンピュータプログラムで実現した場合におけるコンピュータプログラム及びそのコンピュータプログラムを格納した記憶媒体とコンピュータの一例の説明図である。
【発明を実施するための形態】
【００２１】
図１は、本発明の実施の一形態を示す構成図である。図中、１１は生成部、１２は色補正部である。以下の説明では、処理対象の色情報及び出力される処理後の色情報は標準化団体（国際照明委員会やＩＳＯなど）にて測色の規定が存在しており最も利用されていることから三刺激値ＣＩＥＸＹＺを利用するものとしている。もちろん、ＣＩＥＸＹＺに限定されるものではなく、光エネルギーを扱う色空間としては分光分布をもとに計算される色空間やＣＩＥＸＹＺから線形変換される色空間（例えば、ＬＭＳ色空間）の色情報など、他の色情報であってもよい。なお、ＣＩＥＣＡＭ０２、ｓＲＧＢ、ＣＭＹＫ、ＣＩＥＬＡＢ、濃度などはエネルギーに対して線形ではないので該当しないが、ＣＩＥＬＡＢなどからは色変換すればよい。また、処理対象の色情報及び出力される処理後の色情報は、実数値そのものであっても符号化されていてもよく、また、色変換係数やＩＣＣプロファイルの形態などであってよく、限定されるものではない。
【００２２】
生成部１１は、与えられた処理対象の色情報の白色点である第一の白色点の輝度Ｙ（ＣＩＥＸＹＺの輝度Ｙの相当）情報と目標とする白色点の輝度Ｙ情報から第二の白色点への補正情報を生成する。ここでは、第一の白色点の輝度と目標とする白色点の輝度は同属性であればよく、例えばＹとＹの組み合わせでなくても、ＸとＸの組み合わせや、さらにはＸＹＺ色空間のＹとＬＭＳ色空間のＭであってもよい。また色補正部１２は、生成部１１で生成した第二の白色点への補正情報を用いた色補正処理を、処理対象の色情報に対して行う。
【００２３】
以下、具体例として表示装置に表示させている色情報を画像形成装置に出力する際の色補正処理である場合を想定して説明する。もちろん、本発明はこの場合に限られるものではない。表示装置に表示させる際の色情報はＲＧＢ色情報であり、白色点はＣＩＥＸＹＺ（Ｄ５０）に変換するとＤ５０光源のＣＩＥＸＹＺそのものになる。画像形成装置の画像形成媒体の測定は分光分布で行われ、画像形成媒体の白色点はＣＩＥＸＹＺ（Ｄ５０）そのものを入手すればよい。この場合のＣＩＥＸＹＺはＢＣＲＡタイルなどの基準白色でそれぞれの輝度を正規化している。
【００２４】
一方、例として表示装置で表示した画像を見つつ画像形成物の見栄えがよくなるように画像編集（レタッチ）を前提にすると、ある観察環境で表示装置に表示された画像と画像形成媒体に形成された画像を比べながら観察する。この場合、表示装置の白色点の輝度（例えば、分光視感効率や輝度Ｙなど）と観察環境の照度を管理して同程度の白色にすることで、２つの画像の色が近づきダイナミックレンジや色管理などの比較がしやすくなる。言い換えると、表示装置の白色点ＣＩＥＸＹＺの輝度Ｙｗと、画像形成媒体の白色点ＣＩＥＸＹＺの輝度Ｙｐは、いずれもある輝度となる。ここで、表示装置に表示された画像の観察環境における白色点は、外部環境の影響よりも表示装置の設定に依存する場合があるため、原理的に、表示装置と画像形成媒体とを観察する場所が異なっていてもよい。従って、おのおのの観察や測定条件で正規化した三刺激値ＣＩＥＸＹＺから、２つの観察環境に共通した明暗を表す輝度で整合化した三刺激値ＣＩＥＸＹＺを生成するのと表示装置に表示される色と画像形成媒体上の色とが近づくことになる。
【００２５】
なお、このような白色点の補正は入出力の関係から決定するため、出力される色情報が画像を形成する際の色域を超える場合がある。表示装置に表示される画像と画像形成媒体に形成される画像とは測色的に整合しているものとするが、色域を超える場合には色域マッピングなどの処理を行うことから、色が変更される場合がある。
【００２６】
図２は、本発明の実施の一形態における動作の一例を示す流れ図である。Ｓ５１において、生成部１１は第一の白色点（Ｘｗ，Ｙｗ，Ｚｗ）の輝度情報Ｙｗ、および、目標とする白色点の輝度情報Ｙｐを取得する。第一の白色点（Ｘｗ，Ｙｗ，Ｚｗ）は、例えば標準的なＲＧＢ色空間の規格値（色温度を合わせるとＤ５０光源のＣＩＥＸＹＺ）や表示装置に表示させる際に用いるＩＣＣプロファイルのタグ情報から取得すればよい。あるいは、表示装置に与えた色情報と表示された色の測色情報との組から取得してもよい。また、第一の白色点が表示装置の白色点ではない場合には、例えば標準的な画像形成媒体の白色点や、平均的な白色点や、与えられた処理対象の色情報のうちの白色の情報など、種々の白色点を仮想的に第一の白色点としてもよい。また、目標とする白色点（Ｘｐ，Ｙｐ，Ｚｐ）は画像を形成する画像形成媒体（例えば用紙）の白色（例えば用紙そのもの）を測色した情報などを取得すればよい。また観察環境に画像形成媒体を配置して分光輝度計などで計測してもよい。もちろん、この目標とする白色点の輝度情報も種々の方法により与えられてよい。
【００２７】
Ｓ５２において、生成部１１はＳ５１で取得した第一の白色点（Ｘｗ，Ｙｗ，Ｚｗ）の輝度情報Ｙｗと目標とする白色点（Ｘｐ，Ｙｐ，Ｚｐ）の輝度情報Ｙｐから第二の白色点（Ｘｔ，Ｙｔ，Ｚｔ）への補正情報を生成する。この第二の白色点（Ｘｔ，Ｙｔ，Ｚｔ）の情報と補正情報の関係は、例えば
【数１】
0005761491.tif 000002
になり、補正情報は（Ｙｐ／Ｙｗ）である。この例では、第二の白色点（Ｘｔ，Ｙｔ，Ｚｔ）の輝度情報Ｙｔは目標とする白色点の輝度情報Ｙｐとなる。生成部１１は、色補正部１２が上記の（１）式を用いて補正処理を行う場合には補正情報（Ｙｐ／Ｙｗ）を色補正部１２に渡してもよい。あるいは、知覚的な色空間（ＣＩＥＬＡＢ色空間やＣＩＥＣＡＭ０２色空間など）のように三刺激値ＣＩＥＸＹＺから色変換を行う前提である場合には、知覚的な色空間を生成するための色情報は三刺激値ＣＩＥＸＹＺそのものの値を利用するのではなく、三刺激値ＣＩＥＸＹＺと光源情報との相対関係（ある輝度／照明情報の輝度）を利用している。このことから、三刺激値ＣＩＥＸＹＺを新たに生成するのではなく、生成した第二の白色点（Ｘｔ，Ｙｔ，Ｚｔ）との相対関係を色補正部１２に渡してもよい。さらに、例えば、設定や校正機器で計測される表示装置の輝度に対して観察環境の照度が管理されず照度が標準よりも高い場合に、目標とする白色点の輝度情報Ｙｐは用紙の白色点そのものの輝度Ｙを利用して画像形成すると見た目にて全体的に標準よりも高彩度になる場合が生じる。これを調整するには目標とする白色点の輝度情報を制御する。または、後述の（４）式のαを利用してもよい。
【００２８】
Ｓ５３において、色補正部１２はＳ５２で生成部１１が生成した第二の白色点への補正情報を用いて、与えられた色情報（Ｘｓ，Ｙｓ，Ｚｓ）に対して補正を施し、補正処理後の色情報（Ｘｄ，Ｙｄ，Ｚｄ）を出力する。白色点の補正処理としては、輝度に応じて補正量を変更してもよい。さらに、画像を形成する際の色域に応じて補正後の色情報の色域を幾何変換したり、補正処理の際に画像を形成する色域を外れる場合には、色域内の色へ変換する処理なども行うとよい。
【００２９】
補正処理の例としては、上記の（１）式と同様に
【数２】
0005761491.tif 000003
により、与えられた色情報（Ｘｓ，Ｙｓ，Ｚｓ）から補正処理後の色情報（Ｘｄ，Ｙｄ，Ｚｄ）を求めるとよい。この場合、第二の白色点（Ｘｔ，Ｙｔ，Ｚｔ）の情報として補正の係数となる（Ｙｔ／Ｙｐ）を受け取ればよい。なお、与えられた色情報がＲＧＢなどの他の色空間の色情報である場合には、ＣＩＥＸＹＺに変換してから補正処理を行えばよい。また、補正処理はＣＩＥＸＹＺにおいて行うほか、例えばＣＩＥＬＡＢなどの他の色空間に変換する途中の式を利用してもよい。もちろん、補正処理後の色情報も種々の色空間に変換してもよい。
【００３０】
なお、与えられる色情報に、例えば画像形成媒体の白色点に対応する色情報が存在する場合には、上述の補正処理を行うと色かぶりが発生する場合がある。このような場合には、画像形成媒体の白色点については一律の補正処理を行わずに例えばＤ５０やＤ６５などの標準光源の色と見なして補正処理を行うとよい。処理対象が色情報ではなく写真画像の色信号などであれば、利用者によっては色かぶりが気にならず一律の補正処理が好ましい場合がある。
【００３１】
さらに、例えば、用紙１上の色をＣＩＥＸＹＺ色空間上で相対に用紙２上の色で擬似的に再現する場合など、与えられた色情報（Ｘｓ，Ｙｓ，Ｚｓ）に対しての白色点（Ｘｊ，Ｙｊ，Ｚｊ）の設定（用紙１の白色点のこと）があり、その白色点を、画像を形成する画像形成媒体（用紙２）の白色点（目標とする白色点（Ｘｐ，Ｙｐ，Ｚｐ））に合わせる場合には、
【数３】
0005761491.tif 000004
によって第二の白色点の情報を生成すればよい。またこの場合も、色補正部１２における色補正処理において、この式と同様に色補正処理を行ってもよい。
【００３２】
この場合において、第一の白色点（Ｘｗ，Ｙｗ，Ｚｗ）が白色点（Ｘｊ，Ｙｊ，Ｚｊ）であり、用紙１と用紙２を共通の測定条件で、共通の観察環境で観察しているとすると第一の白色点の輝度情報Ｙｗと目標とする白色点の輝度情報ＹｐはＹｗ＝Ｙｐとなり、第二の白色点（Ｘｔ，Ｙｔ，Ｚｔ）の輝度情報Ｙｔ＝Ｙｐ（＝Ｙｗ）となる。
【００３３】
さらにまた、例えば色かぶりや明度方向のかぶりなどの対策として、第一の白色点の輝度情報Ｙｗを目標とする白色点の輝度情報Ｙｐまで補正せず、第二の白色点の輝度情報Ｙｔを輝度情報Ｙｗから輝度情報Ｙｐまでの間に設定してもよい。例えば、係数αを用い、
【数４】
0005761491.tif 000005
により第二の白色点（Ｘｔ，Ｙｔ，Ｚｔ）の情報を求めてもよく、補正情報は（Ｙｐ／Ｙｗ×α）となる。もちろん、（３）式においても係数αを導入し、第二の白色点（Ｘｔ，Ｙｔ，Ｚｔ）の情報を求めてもよい。
【００３４】
なお、上述の説明では白色点についての補正処理について説明したが、白色点の場合と条件が共通する他の色についての補正処理に上述の構成を適用してもよい。
【００３５】
次に、補正の対象として与えられる色情報（Ｘｓ，Ｙｓ，Ｚｓ）を出力カラープロファイル生成に利用する場合について説明する。出力カラープロファイルは受け取る色情報として標準光源の白色点（Ｄ５０など）にも対応する必要がある。そのため、第一の白色点の明るさを示す輝度は最大の値とする。例えばＣＩＥＸＹＺの各値を０から１００の範囲の数値で表現した場合（Ｙ以外は０以下や１００を超える数値があってもよい）には、１００とすればよい。この場合、第一の白色点（Ｘｗ，Ｙｗ，Ｚｗ）から第二の白色点（Ｘｔ，Ｙｔ，Ｚｔ）は、
【数５】
0005761491.tif 000006
で求めればよく、補正情報は（１００／Ｙｗ）となる。もちろん、（４）式で説明した係数αを導入してもよい。
【００３６】
色補正部１２は（５）式で示した第二の白色点への補正情報を用いて、与えられた出力カラープロファイルの色情報（Ｘｓ，Ｙｓ，Ｚｓ）に対する補正処理として、輝度に対する白色点比率１００／Ｙｗを乗算すればよい。
【００３７】
ここで、画像形成媒体の白色点に対しては、色かぶりの発生を回避するために光源（例えば，Ｄ５０光源）のＣＩＥＸＹＺの値を設定するとよい。その場合、計算上の画像形成媒体の白色点と光源とが乖離している場合には、色の連続性が失われて階調の段差が発生する場合がある。そのため、光源に設定した画像形成媒体の白色点を中心に既存の色変更処理（色域マッピング処理や加重平均、幾何変換など）を行うとよい。
【００３８】
また、補正の対象として与えられる色情報（Ｘｓ，Ｙｓ，Ｚｓ）が入力カラープロファイルの色情報（Ｄ５０やＤ６５などの標準光源下での色情報）に利用する場合について説明する。この場合にも上述の（５）式やさらに係数αを導入した式などを用いて第二の白色点への補正情報を求めればよいが、入力カラープロファイルと画像形成媒体に対して相対で設計された出力カラープロファイルを組み合わせて利用する場合には、相対的に色ずれが生じている出力側に、入力側の色を合わせる補正を行う必要がある。具体的には、出力カラープロファイルで設定されている画像形成媒体を白色点（Ｘｊ，Ｙｊ，Ｚｊ）および第一の白色点（Ｘｗ，Ｙｗ，Ｚｗ）とし、同じく出力カラープロファイルで設定されている画像形成媒体の白色点を目標とする白色点（Ｘｐ，Ｙｐ，Ｚｐ）の輝度Ｙｐとして、（３）式と同様にすることで、第二の白色点（Ｘｔ，Ｙｔ，Ｚｔ）への補正情報を求めればよい。そして色補正部１２は、求めた第二の白色点への補正情報を利用して色補正処理を行えばよい。また、もし三刺激値ＣＩＥＸＹＺから知覚的な色空間（例えばＣＩＥＬＡＢ）に変換する必要があるならば、ここで求めた補正情報から第二の白色点（Ｘｔ，Ｙｔ，Ｚｔ）を求めて、ＣＩＥＸＹＺからＣＩＥＬＡＢに変換する際の、光源（正規化する際の分母）とすればよい。ここでの第二の白色点（Ｘｔ，Ｙｔ，Ｚｔ）は画像形成媒体の白色点（Ｘｗ，Ｙｗ，Ｚｗ）そのものの輝度Ｙｗで正規化するものと等しい。
【００３９】
図３は、本発明の実施の一形態で説明した機能をコンピュータプログラムで実現した場合におけるコンピュータプログラム及びそのコンピュータプログラムを格納した記憶媒体とコンピュータの一例の説明図である。図中、２１はプログラム、２２はコンピュータ、３１は光磁気ディスク、３２は光ディスク、３３は磁気ディスク、３４はメモリ、４１はＣＰＵ、４２は内部メモリ、４３は読取部、４４はハードディスク、４５はインタフェース、４６は通信部である。
【００４０】
上述の本発明の実施の一形態で説明した各部の機能を全部あるいは部分的に、コンピュータに実行させるプログラム２１によって実現してもよい。その場合、そのプログラム２１およびそのプログラムが用いるデータなどは、コンピュータが読み取る記憶媒体に記憶させておけばよい。記憶媒体とは、コンピュータのハードウェア資源に備えられている読取部４３に対して、プログラムの記述内容に応じて、磁気、光、電気等のエネルギーの変化状態を引き起こして、それに対応する信号の形式で、読取部４３にプログラムの記述内容を伝達するものである。例えば、光磁気ディスク３１，光ディスク３２（ＣＤ、ＤＶＤなどを含む）、磁気ディスク３３，メモリ３４（ＩＣカード、メモリカード、フラッシュメモリなどを含む）等である。もちろんこれらの記憶媒体は、可搬型に限られるものではない。
【００４１】
これらの記憶媒体にプログラム２１を格納しておき、例えばコンピュータ２２の読取部４３あるいはインタフェース４５にこれらの記憶媒体を装着することによって、コンピュータからプログラム２１を読み出し、内部メモリ４２またはハードディスク４４（磁気ディスクやシリコンディスクなどを含む）に記憶し、ＣＰＵ４１によってプログラム２１を実行することによって、上述の本発明の実施の一形態で説明した機能が全部あるいは部分的に実現される。あるいは、通信路を介してプログラム２１をコンピュータ２２に転送し、コンピュータ２２では通信部４６でプログラム２１を受信して内部メモリ４２またはハードディスク４４に記憶し、ＣＰＵ４１によってプログラム２１を実行することによって実現してもよい。
【００４２】
コンピュータ２２には、このほかインタフェース４５を介して様々な装置と接続してもよい。もちろん、部分的にハードウェアによって構成することもできるし、全部をハードウェアで構成してもよい。あるいは、他の構成とともに本発明の各実施の形態で説明した機能の全部あるいは部分的に含めたプログラムとして構成してもよい。他の用途に適用する場合には、その用途におけるプログラムと一体化してもよい。
【符号の説明】
【００４３】
１１…生成部、１２…色補正部、２１…プログラム、２２…コンピュータ、３１…光磁気ディスク、３２…光ディスク、３３…磁気ディスク、３４…メモリ、４１…ＣＰＵ、４２…内部メモリ、４３…読取部、４４…ハードディスク、４５…インタフェース、４６…通信部。
【図１】
0005761491.tif 000007
【図２】
0005761491.tif 000008
【図３】
0005761491.tif 000009